【事件の表示】
　特願２００９−１７４５２５号「空気温調機」拒絶査定不服審判事件〔平成２３年２月１０日出願公開、特開２０１１−２７３４４号〕について、次のとおり審決する。
【結　論】
　本件審判の請求は、成り立たない。
【理　由】
第１　手続の経緯
　本件に係る出願（以下「本願」という。）は、平成２１年７月２７日の出願であって、平成２３年５月３０日付けで拒絶査定がなされ（発送日：同年６月７日）、これに対し、同年８月２９日に拒絶査定不服審判の請求がなされ、その審判の請求と同時に手続補正がなされたものである。
　
第２　平成２３年８月２９日付け手続補正についての補正却下の決定
［補正却下の決定の結論］
　平成２３年８月２９日付け手続補正（以下「本件補正」という。）を却下する。
　
［理由］
１　本件補正発明
　本件補正は、特許請求の範囲の請求項１について、本件補正前に「室外機に接続された熱交換器によって、吸引した空気を、熱交換し加熱又は冷却し、あるいは除湿して複数の室内に供給する、床下又は天井裏に配置される空気温調機であって、前記熱交換器は、室内に空気を送る複数の吹出ダクトが連結された箱型の筐体内に設けられ、前記筐体内には、該吹出ダクトにそれぞれ対応し、前記熱交換器で熱交換された空気を前記吹出ダクトを介して室内に送るファンが複数備えられ、しかも、前記ファンはそれぞれ制御手段によって、回転速度が制御され、前記筐体は、一の側壁部に複数の吸込口を備え、該筐体には、該複数の吸込口にそれぞれ固定され、室内から空気を吸引する複数の吸込ダクトが並列に連結されていることを特徴とする空気温調機。」とあったものを「室外機に接続された熱交換器によって、吸引した空気を、熱交換し加熱又は冷却し、あるいは除湿して複数の室内に供給する、床下又は天井裏に配置される空気温調機であって、前記熱交換器は、室内に空気を送る複数の吹出ダクトが連結された箱型の筐体内に設けられ、前記筐体内には、該吹出ダクトにそれぞれ対応し、前記熱交換器で熱交換された空気を前記吹出ダクトを介して室内に送るファンが複数備えられ、しかも、前記ファンはそれぞれ制御手段によって、回転速度が制御され、前記筐体は、一の側壁部に複数の吸込口を備え、該筐体には、該複数の吸込口に
固定具によって
　上記補正について検討する。
　本件補正後の特許請求の範囲の請求項１に記載された発明は、吸込ダクトの吸込口への固定について、「固定具によ」るものであることを限定するものであり、かつ、本件補正前の特許請求の範囲の請求項１に記載された発明と本件補正後の特許請求の範囲の請求項１に記載される発明の産業上の利用分野及び解決しようとする課題が同一であるので、本件補正は、特許法第１７条の２第５項第２号に掲げる特許請求の範囲の減縮を目的とするものに該当する。
　そこで、本件補正後の特許請求の範囲の請求項１に記載された発明（以下「本件補正発明」という。）が特許出願の際独立して特許を受けることができるものであるか（特許法第１７条の２第６項において準用する同法第１２６条第５項の規定に適合するか）否かについて検討する。
　
２　刊行物に記載された発明
　原査定の拒絶理由において提示された、本願の出願前に頒布された刊行物である特開平１１−２４８１９６号公報（以下「刊行物」という。）には、図面と共に次の事項が記載されている。 
ア　「【請求項１】ケーシング１を備えると共にその内部に吸い込まれた空気を分流させて複数の被空調空間Ｖ…に給気するファンコイルユニットであって、上記ケーシング１内に、熱交換コイル４を設けた熱交換室５と、この熱交換室５と連通する複数の分流路６…と、を形成し、この各分流路６に、上記熱交換室５から分流路６へ向かう方向に空気を送る送風機１４と、上記被空調空間Ｖからの逆流を防止するダンパ機構Ｄを、設けたことを特徴とするファンコイルユニット。
【請求項２】送風機１４による送風にて揺動開放して通気状態とする開閉板１７を分流路６内に設けて、ダンパ機構Ｄを構成した請求項１記載のファンコイルユニット。
【請求項３】ダンパ機構Ｄを分流路６の送風入口に配置した請求項１又は２記載のファンコイルユニット。
【請求項４】熱交換コイル４の熱媒流通管１８の断面を楕円形に形成した請求項１、２又は３記載のファンコイルユニット。」（【特許請求の範囲】）
イ　「【発明の属する技術分野】本発明は、個別空調用のファンコイルユニットに関する。」（段落【0001】）
ウ　「【発明の実施の形態】図１は、本発明のファンコイルユニットの一使用例を示す簡略平面図であって、このファンコイルユニットＦは、
横長箱型のケーシング１
吸い込まれた空気を分流させて給気ダクト２，２…を介して複数の被空調空間Ｖ，Ｖ…に給気する
ファンコイルユニットＦ
は天井内に設け
被空調空間Ｖは
区画する
　図２〜図４のように、
中空状のケーシング１内
熱交換室５
を形成する
ケーシング１の正面には給気口７を複数形成して分流路６と連通させ
背面には外気口８と還気口９を形成し
給気口７には給気ダクト２を連通連結し
外気口８には外気ダクト１１を連通連結する
　
熱交換室５には
熱交換コイル４
を設け
還気口９及び外気口８から流入する空気を熱交換する
各分流路６には、熱交換室５から分流路６へ向かう方向に空気を送る送風機１４
設ける
　ダンパ機構Ｄは、送風機１４による送風にて図３の二点鎖線のごとく揺動開放して通気状態とする開閉板１７を分流路６内に設けて、構成する。開閉板１７は、その一端縁部（図例では上端縁部）を軸にして揺動するようにヒンジ機構を介して懸垂状に設け、非送風状態では自重で分流路６を密閉状に遮断し、送風状態では風圧により揺動して分流路６を開放するように、構成する。このように、風力を利用して分流路６を開閉するので、他に余分な動力を必要としないうえに、簡単な構造なので安価製作可能であり、大きな設置スペースも不要である。
　ダンパ機構Ｄは、分流路６の風上である送風入口（送風方向基端部）に配置し、その風下側に送風機１４と消音部材１５を配置する。
送風機１４，１４…は、各々独立して風量及び静圧制御可能に構成し、制御スイッチ１８（図１参照）にて被空調空間Ｖ毎に個別に空調制御する
エ　上記ウの記載事項及び【図1】〜【図3】の図示内容によると、
ケーシング１の背面には外気口８と還気口９が並列に形成されたこと
　
　上記ア〜ウの記載事項、上記エの認定事項、及び、図面の図示内容を総合勘案すると、刊行物には、次の発明が記載されていると認められる。
「熱交換コイル４によって、還気口９及び外気口８から流入する空気を熱交換して、区画された複数の被空調空間Ｖに給気する、天井内に設けられたファンコイルユニットＦであって、
　熱交換コイル４は、正面に複数形成された給気口７に給気ダクト２が連通連結された横長箱型のケーシング１内に設けられ、
　ケーシング１内に複数形成された給気口７に連通される各分流路６には、熱交換コイル４によって熱交換された空気を、給気ダクト２を介して複数の被空調空間Ｖに給気する送風機１４が設けられ、
　送風機１４は、各々独立して風量及び静圧制御可能に構成し、制御スイッチ１８にて被空調空間Ｖ毎に個別に空調制御され、
　ケーシング１の背面には外気口８と還気口９を並列に形成し、外気口８には、外気ダクト１１が連通連結されたファンコイルユニットＦ。」
　
３　対比
　本件補正発明と刊行物に記載された発明とを対比する。
　刊行物に記載された発明の「熱交換コイル４によって、還気口９及び外気口８から流入する空気を熱交換して、区画された複数の被空調空間Ｖに給気する」ことと、本件補正発明の「室外機に接続された熱交換器によって、吸引した空気を、熱交換し加熱又は冷却し、あるいは除湿して複数の室内に供給する」こととは、前者において、外気口８から流入する空気は、熱交換コイル４によって熱交換されることにより空気調和されるものであり、後者において、空気は、加熱又は冷却し、あるいは除湿により空気調和されるものであるから、両者は、「熱交換器によって、吸引した空気を、熱交換により空気調和して複数の室内に供給する」ことで共通する。
　そして、刊行物に記載された発明の「天井内に設けられたファンコイルユニットＦ」は、熱交換された空気を、複数の被空調空間Ｖに給気するものであるから、本件補正発明の「天井裏に配置される空気温調機」に相当し、以下同様に、
　「熱交換コイル４は、正面に複数形成された給気口７に給気ダクト２が連通連結された横長箱型のケーシング１内に設けられ」ることは、「熱交換器は、室内に空気を送る複数の吹出ダクトが連結された箱型の筐体内に設けられ」ることに、
　「ケーシング１に複数形成された給気口７に連通される各分流路６には、熱交換コイル４によって熱交換された空気を、給気ダクト２を介して複数の被空調空間Ｖに給気する送風機１４が設けられ」ることは、「筐体内には、該吹出ダクトにそれぞれ対応し、熱交換器で熱交換された空気を吹出ダクトを介して室内に送るファンが複数備えられ」ることに、
　「送風機１４は、各々独立して風量及び静圧制御可能に構成し、制御スイッチ１８にて被空調空間Ｖ毎に個別に空調制御され」ることは、送風機１４の風量制御は、回転数制御により行われるものであるから、「ファンはそれぞれ制御手段によって、回転速度が制御され」ることに、
それぞれ相当する。
　また、刊行物に記載された発明の「ケーシング１の背面には外気口８と還気口９を並列に形成し、外気口８には、外気ダクト１１が連通連結され」ることと、本件補正発明の「筐体は、一の側壁部に複数の吸込口を備え、該筐体には、該複数の吸込口に固定具によってそれぞれ固定され、室内から空気を吸引する複数の吸込ダクトが並列に連結されていること」とは、「筐体には、複数の並列に設けられた吸込口の少なくとも１つに固定され、空気を吸引する吸込ダクトが連結されていること」で共通する。
　
　したがって、両者の一致点および相違点は、次のとおりである。
［一致点］
「熱交換器によって、吸引した空気を、熱交換により空気調和して複数の室内に供給する、天井裏に配置される空気温調機であって、前記熱交換器は、室内に空気を送る複数の吹出ダクトが連結された箱型の筐体内に設けられ、前記筐体内には、該吹出ダクトにそれぞれ対応し、前記熱交換器で熱交換された空気を前記吹出ダクトを介して室内に送るファンが複数備えられ、しかも、前記ファンはそれぞれ制御手段によって、回転速度が制御され、前記筐体には、複数の並列に設けられた吸込口の少なくとも１つに固定され、空気を吸引する吸込ダクトが連結されている空気温調機。」
　
［相違点１］
　熱交換器によって、吸引した空気を、熱交換により空気調和して複数の室内に供給することが、本件補正発明では、室外機に接続された熱交換器によって、吸引した空気を、熱交換し加熱又は冷却し、あるいは除湿して複数の室内に供給するのに対して、刊行物に記載された発明では、熱交換コイル４によって、還気口９及び外気口８から流入する空気を熱交換して、区画された複数の被空調空間Ｖに給気する点で一応相違する。
　
［相違点２］
　筐体には、複数の並列に設けられた吸込口の少なくとも１つに固定され、空気を吸引する吸込ダクトが連結されていることが、本件補正発明では、筐体は、一の側壁部に複数の吸込口を備え、該筐体には、該複数の吸込口に固定具によってそれぞれ固定され、室内から空気を吸引する複数の吸込ダクトが並列に連結されているのに対して、刊行物に記載された発明では、ケーシング１の背面には外気口８と還気口９を並列に形成し、外気口８には、外気ダクト１１が連通連結された点。
　
４　当審の判断
（１）上記相違点１について
　空調装置の技術分野において、ファンコイルユニットといった天井裏に配置される空気温調機内の熱交換器を室外機に接続すること、及び、空気温調機による空気調和により、空気を加熱又は冷却し、あるいは除湿を行うことは、本願出願前から慣用的に行われていた技術事項である。
　したがって、刊行物に記載された発明において、熱交換コイル４を室外機に接続すること、且つ、外気口８から流入する空気を熱交換して加熱又は冷却し、あるいは除湿を行うことは、当業者が普通になし得たものである。
　
（２）上記相違点２について
　同じく、空調装置の技術分野において、天井裏に配置される空気温調機筐体の、一の側壁部に複数の吸込口を備え、該複数の吸込口に室内から空気を吸引する複数の吸込ダクトを並列に連結することは、本願出願前に周知の技術事項である（例えば、原査定において提示した特開平４−１４８１３０号公報には、ダクト式空調機本体１の側壁に、部屋から吸い込みダクト４ａ、４ｂを並列に設けることが記載され、同じく、特開平２−１３０３３２号公報には、空気調和機本体１の側壁に、室内から吸込ダクト７、７を並列に設けることが記載され、特開２００１−１７４０２５号公報には、ケーシング１の側壁に、各空調ゾーンＣから吸込用のダクト２１を並列に設けることが記載されている。）。
　ところで、本件補正発明において、「固定具」は、発明の詳細な説明の「各吸込ダクト３２は、バンド又はアルミテープからなる固定具３３によって各吸込口１４にそれぞれ固定されている。」（段落【0017】）と記載されているように、バンド又はアルミテープからなるものである。
　そして、同じく、空調装置の技術分野において、天井裏に配置される空気温調機筐体の空気吸込口にダクトをバンド又はアルミテープからなる固定手段により固定することは、本願出願前に周知の技術事項である（例えば、特開平９−３１８１４５号公報の段落【0004】には、接続口にダクトをバンド、テープを用いて固定することが記載され、特開平２−１０６６５２号公報の第1ページ右下欄第9〜15行には、アダプタ３０の外周にダクト２６をバンド３１で締め付けて固定することが記載されている。）。
　してみると、刊行物に記載された発明において、ケーシング１の背面に複数の還気口９を並列に形成し、各被空調空間Ｖから空気を吸い込む吸込ダクトを並列に連結すること、及び、連結の際に、還気口９に吸込ダクトを固定具によって固定することは当業者が容易になし得たものである。
　
（３）小括
　本件補正発明により奏される効果は、刊行物に記載された発明及び周知の技術事項から当業者が予測できた効果の範囲内のものである。
　したがって、本件補正発明は、刊行物に記載された発明及び周知の技術事項に基づいて当業者が容易に想到し得たものである。
　ゆえに、本件補正発明は、刊行物に記載された発明及び周知の技術事項に基いて当業者が容易に発明をすることができたものであるから、特許法第２９条第２項の規定により、特許出願の際独立して特許を受けることができないものである。
　
５　まとめ
　以上のとおりであるから、本件補正は、特許法第１７条の２第６項において準用する同法第１２６条第５項の規定に違反するので、同法第１５９条第１項において読み替えて準用する同法第５３条第１項の規定により却下すべきものである。
 　  
第３　本願発明について
１　本願発明
　平成２３年８月２９日付け手続補正は上記のとおり却下されたので、本願の請求項１に係る発明（以下「本願発明」という。）は、平成２３年４月２６日付け手続補正書の特許請求の範囲の請求項１に記載された事項により特定される次のとおりのものである。
「室外機に接続された熱交換器によって、吸引した空気を、熱交換し加熱又は冷却し、あるいは除湿して複数の室内に供給する、床下又は天井裏に配置される空気温調機であって、前記熱交換器は、室内に空気を送る複数の吹出ダクトが連結された箱型の筐体内に設けられ、前記筐体内には、該吹出ダクトにそれぞれ対応し、前記熱交換器で熱交換された空気を前記吹出ダクトを介して室内に送るファンが複数備えられ、しかも、前記ファンはそれぞれ制御手段によって、回転速度が制御され、前記筐体は、一の側壁部に複数の吸込口を備え、該筐体には、該複数の吸込口にそれぞれ固定され、室内から空気を吸引する複数の吸込ダクトが並列に連結されていることを特徴とする空気温調機。」
　
２　刊行物に記載された発明
　原査定の拒絶の理由に引用した刊行物、刊行物の記載事項及び刊行物に記載された発明は、前記「第２［理由］２　刊行物に記載された発明」に記載したとおりである。
　
３　対比および判断
　本願発明は、前記「第２［理由］」において検討した本件補正発明において、吸込ダクトの吸込口への固定について、「固定具によ」るものであるとの限定を省くものである。
　そうすると、実質的に本願発明の発明特定事項をすべて含み、さらに、他の発明特定事項を付加したものに相当する本件補正発明が、前記「第２　［理由］３　対比、及び、４　当審の判断」に記載したとおり、刊行物に記載された発明及び周知の技術事項に基いて当業者が容易に発明をすることができたものであるから、本願発明も同様に、刊行物に記載された発明及び周知の技術事項に基いて当業者が容易に発明をすることができたものである。  
 　  
４　むすび  
　以上のとおりであるから、本願発明は、刊行物に記載された発明及び周知の技術事項に基いて当業者が容易に発明をすることができたものであり、特許法第２９条第２項の規定により特許を受けることができない。  
　したがって、本願のその他の請求項に係る発明について検討するまでもなく、本願は拒絶すべきものである。
　よって、結論のとおり審決する。